(57)【要約】【課題】取付位置が互いに異なる型枠用セパレータとアンカーとを連結する場合に、工期の短縮や工費の抑制を図り易い型枠用セパレータの取付け構造を提供する。【解決手段】山留壁Ａに固定される複数のアンカー３と、山留壁Ａに隣接状態で構築される壁体を形成するための型枠１を保持する複数の型枠用セパレータ４とが、山留壁Ａと型枠１との間に配設した位置保持部材８に取り付けられ、位置保持部材８が、山留壁Ａの壁長手方向に沿って延びる一対のガイド管を、両ガイド管どうしの対向面間に壁長手方向に沿って延びる取付け溝を形成する状態で並設して構成され、アンカー３および型枠セパレータ４の各々が取付け溝の溝長手方向の所定位置に取付けられている。【選択図】図２
2015113696.tif 000002
【特許請求の範囲】
【請求項１】
山留壁に固定される複数のアンカーと、前記山留壁に隣接状態で構築される壁体を形成するための型枠を保持する複数の型枠用セパレータとが、前記山留壁と前記型枠との間に配設した位置保持部材に取り付けられている型枠用セパレータの取付け構造であって、
前記位置保持部材が、前記山留壁の壁長手方向に沿って延びる一対のガイド管を、両ガイド管どうしの対向面間に前記壁長手方向に沿って延びる取付け溝を形成する状態で並設して構成され、
前記アンカーおよび前記型枠セパレータの各々が前記取付け溝の溝長手方向の所定位置に取付けられている型枠用セパレータの取付け構造。
【請求項２】
前記壁体を形成するための打ち込みコンクリートの上端ラインよりも高い位置に前記一対のガイド管が配設されている請求項１記載の型枠用セパレータの取付け構造。
【請求項３】
前記ガイド管が角パイプから構成されている請求項１又は２記載の型枠用セパレータの取付け構造。
【発明の詳細な説明】
【技術分野】
【０００１】
山留壁に隣接状態で構築される壁体を形成するために、山留壁の内側に間隔を隔てて型枠を設置する必要がある。
本発明は、このような型枠を設置するために、山留壁に固定される複数のアンカーと、型枠を保持する複数の型枠用セパレータとが、前記山留壁と前記型枠との間に配設した位置保持部材に取り付けられている型枠用セパレータの取付け構造に関する。
【背景技術】
【０００２】
特許文献１には、山留壁（土留め壁）に隣接する壁体を構築するために、外側型枠として機能させる山留壁と、山留壁の内面側に設置した内側型枠との間にコンクリートを打設するための型枠用セパレータの取付け構造が開示されている。
【０００３】
この型枠用セパレータの取付け構造は、山留壁に固定された複数のアンカーの夫々と、内側型枠を保持する複数の型枠用セパレータの夫々とを互いに連結して、山留壁と内側型枠との間にコンクリートの打設空間を設けてある。
【０００４】
そして、隣り合うアンカーどうしの間の位置に配置された型枠用セパレータをアンカーに連結するために、位置保持部材として機能する位置保持用形鋼を隣り合うアンカーに亘って取り付けておき、この形鋼に型枠用セパレータをボルトで取り付けることによって、型枠用セパレータを位置保持用形鋼を介してアンカーに連結してある。
【０００５】
位置保持用形鋼には、型枠用セパレータをボルトで取り付けるためのボルト孔を予め貫通形成してあり、形鋼のアンカーに対する取付誤差が生じていても型枠用セパレータを確実に取り付けることができるように、ボルト孔を形鋼の長手方向に沿って長い長孔に形成してある。
【０００６】
つまり、上記従来技術では、型枠用セパレータの位置が隣り合うアンカーどうしの間の位置などのアンカーの位置と異なる場合に、その型枠用セパレータをアンカーに連結するために、ボルト孔を形成してある位置保持用形鋼を位置保持部材として設けてある。
【先行技術文献】
【特許文献】
【０００７】
【特許文献１】特開２００３−３４７２号公報
【発明の概要】
【発明が解決しようとする課題】
【０００８】
上述のように、従来の型枠用セパレータの取付け構造では、取付位置が互いに異なる型枠用セパレータとアンカーとを連結するために設ける位置保持部材を、ボルト孔が型枠用セパレータの取付ピッチに応じたピッチで予め形成された形鋼で構成する必要がある。
【０００９】
このため、型枠用セパレータの取付ピッチが壁体の構築現場毎に異なる場合は、その構築現場毎に、型枠用セパレータの取付ピッチに応じたピッチでボルト孔が予め貫通形成された位置保持部材を用いて内側型枠を取付る必要がある。
したがって、構築現場に応じたピッチでボルト孔が形成された位置保持部材を準備しなければならず、工期の短縮や工費の抑制を図り難いおそれがある。
【００１０】
本発明は上記実情に鑑みてなされたものであって、取付位置が互いに異なる型枠用セパレータとアンカーとを連結する場合に、工期の短縮や工費の抑制を図り易い型枠用セパレータの取付け構造を提供することを目的とする。
【課題を解決するための手段】
【００１１】
本発明による型枠用セパレータの取付け構造の特徴構成は、山留壁に固定される複数のアンカーと、前記山留壁に隣接状態で設置される壁体を形成するための型枠を保持する複数の型枠用セパレータとが、前記山留壁と前記型枠との間に配設した位置保持部材に取り付けられている型枠用セパレータの取付け構造であって、前記位置保持部材が、前記山留壁の壁長手方向に沿って延びる一対のガイド管を、両ガイド管どうしの対向面間に前記壁長手方向に沿って延びる取付け溝を形成する状態で並設して構成され、前記アンカーおよび前記型枠セパレータの各々が前記取付け溝の溝長手方向の所定位置に取付けられている点にある。
【００１２】
本構成の型枠用セパレータの取付け構造は、位置保持部材が、山留壁の壁長手方向に沿って延びる一対のガイド管を、両ガイド管どうしの対向面間に壁長手方向に沿って延びる取付け溝を形成する状態で並設して構成されている。
このため、入手し易い一対のガイド管を用いて、アンカーと型枠用セパレータの取付け溝を有する位置保持部材を簡便に設置することができる。
【００１３】
また、アンカーおよび型枠セパレータの各々が、両ガイド管どうしの対向面間に形成された取付け溝の溝長手方向の所定位置に取付けられている。
このため、夫々の取付ピッチに応じた位置で取付け溝に取り付けたアンカーと型枠セパレータとを位置保持部材を介して連結することができる。
【００１４】
したがって、本構成の型枠用セパレータの取付け構造であれば、取付位置が互いに異なる型枠用セパレータとアンカーとを連結する場合に、型枠用セパレータの取付ピッチが壁体の構築現場毎に異なる場合でも、同じ位置保持部材を設置して型枠を取り付けることができるので、工期の短縮や工費の抑制を図り易い。
【００１５】
本発明の他の特徴構成は、前記壁体を形成するための打ち込みコンクリートの上端ラインよりも高い位置に前記一対のガイド管が配設されている点にある。
【００１６】
本構成であれば、打ち込みコンクリートが位置保持部材にかぶらないので、コンクリートの養生後は、その位置保持部材を型枠から外して再利用することができ、工期の短縮や工費の抑制を一層図り易い。
【００１７】
本発明の他の特徴構成は、前記ガイド管が角パイプから構成されている点にある。
【００１８】
本構成であれば、角パイプの一辺を形成している板面どうしを互いに対向させて、その対向面間に深さが深い取付け溝を形成することができる。
このため、取付け溝に入り込ませたアンカーおよび型枠セパレータの姿勢を安定させて、山留壁と型枠との間隔を精度よく維持することができる。
【図面の簡単な説明】
【００１９】
【図１】山留壁に隣接状態で構築された壁体を示す断面図である。
【図２】型枠用セパレータの取付け構造を示す側面図である。
【図３】型枠用セパレータの取付け構造を示す平面図である。
【図４】図３におけるIV−IV線矢視図である。
【図５】図３におけるＶ−Ｖ線矢視図である。
【図６】図３におけるVI−VI線矢視図である。
【図７】図３におけるVII −VII 線断面図である。
【発明を実施するための形態】
【００２０】
以下に本発明の実施の形態を図面に基づいて説明する。
本発明による型枠用セパレータの取付け構造（以下、セパレータ取付け構造という。）は、図１に示すように、地盤Ｇを掘削して設置してあるコンクリート製の山留壁Ａの内側に鉄筋コンクリート製の壁Ｂを隣接状態で一体に構築するために設けられている。
【００２１】
壁Ｂは、基礎コンクリートＣの上部に、下部壁体Ｂ１と中間壁体Ｂ２と上部壁体Ｂ３とを順に打ち継ぐことにより構築され、これらの壁体Ｂ１，Ｂ２，Ｂ３の構築工程の夫々に対応して本発明によるセパレータ取付け構造が設けられる。
【００２２】
図２〜図７は、基礎コンクリートＣの上部に下部壁体Ｂ１を形成するための鋼製型枠１を保持してあるセパレータ取付け構造を示す。
このセパレータ取付け構造は、図２，図３に示すように、鋼製型枠１と山留壁Ａとの間に壁体形成用コンクリートの打設空間２を形成するために、型枠１を山留壁Ａに対して所定間隔で保持する複数の鋼製アンカー３および複数の鋼製型枠用セパレータ（以下、セパレータという。）４とを設けてある。
【００２３】
型枠１は、内部がフレーム部材などで補強された箱状に形成してある。型枠１の下端部は基礎コンクリートＣに埋設したアンカー部材５にネジなどで着脱自在に固定して支持してあり、型枠１の上端部が本発明によるセパレータ取付け構造によって支持される。
【００２４】
山留壁Ａには、一方のフランジ面６ａを内側に露出させた複数のＨ形鋼６が上下方向に沿う縦姿勢で水平方向に沿った一定ピッチで埋設され、各フランジ面６ａには、山形鋼で構成したアンカー固定用の受け具７が溶接固定されている。
【００２５】
各アンカー３はボルトで構成され、図５に示すように、受け具７に溶接固定したナット部材７ａに着脱自在にねじ込んで、Ｈ形鋼６の一定高さ位置にＨ形鋼６と同じ一定ピッチＰ１で山留壁Ａに固定されている。
【００２６】
各セパレータ４はボルトで構成され、図２に示すように、型枠１に設けてあるナット部材１ａに着脱自在にねじ込んで、アンカー３とは異なる水平方向に沿った一定ピッチＰ２で型枠１に固定されている。
【００２７】
アンカー３とセパレータ４の夫々は、山留壁Ａと型枠１との間に配設した共通の位置保持部材８に着脱自在に取り付けて、位置保持部材８を介して互いに連結されている。
【００２８】
位置保持部材８は、図４〜図７に示すように、山留壁Ａの壁長手方向に沿って延びる上下一対のガイド管９を、両ガイド管９どうしの対向面間に壁長手方向に沿って延びる取付け溝１０を形成する状態で並設して構成されている。
両ガイド管９は、断面形状が四角形の角パイプで構成されている。
【００２９】
取付け溝１０は、ガイド管９の一辺を形成している板面どうしを間隔を隔てて互いに対向させるとともに、図７に示すように、それらの板面の間に挟み込んだスペーサ部材１１を溶接固定して、溝深さ方向の両側が水平方向に向けて開口するスリット状に形成してある。
【００３０】
図２に示すように、アンカー３とセパレータ４および一対のガイド管（位置保持部材８）９は、下部壁体Ｂ１を形成するための打ち込みコンクリート１２の上端ラインＬよりも高い位置に配設されている。
【００３１】
各アンカー３は、アンカー用の一定ピッチＰで取付け溝１０に挿通して、取付け溝１０の溝長手方向の所定位置に取付けられている。
アンカー３は、図５に示すように、一対のガイド管９をワッシャ３ａを介して挟むようにアンカー３にねじ込んである一対のナット部材３ｂで位置保持部材８に着脱自在に固定してある。
【００３２】
各セパレータ４は、セパレータ用の一定ピッチＰ２で取付け溝１０に挿通して、取付け溝１０の溝長手方向の所定位置に取付けられている。
セパレータ４は、図６に示すように、一対のガイド管をワッシャ４ａを介して挟むようにアンカー３にねじ込んである一対のナット部材４ｂで位置保持部材８に着脱自在に固定してある。
【００３３】
そして、図２に示すように、山留壁Ａと型枠１との間に形成した打設空間２に、鉄筋カゴ１３や、中間壁体Ｂ２を構築する際の型枠１の下部を支持するために使用するアンカー部材５などを位置保持して、その打設空間２にコンクリート１２を打設することにより、図１に示すように下部壁体Ｂ１が構築される。
【００３４】
下部壁体Ｂ１の構築後は、図示しないが、型枠１やアンカー３、セパレータ４、位置保持部材８などを撤去して、中間壁体Ｂ２および上部壁体Ｂ３を構築するための同様のセパレータ取付け構造を設置する。
【００３５】
〔その他の実施形態〕
１．本発明による型枠用セパレータの取付け構造は、型枠の上下方向における複数位置を支持するために、各支持位置に対応してアンカー、型枠用セパレータ、位置保持部材などを設置してあってももよい。
２．本発明による型枠用セパレータの取付け構造は、位置保持部材を構成する一対のガイド管の双方または一方が丸パイプで構成されていてもよい。
３．本発明による型枠用セパレータの取付け構造は、アンカーや型枠用セパレータの夫々が不規則なピッチで位置保持部材に取り付けられていてもよい。
４．本発明による型枠用セパレータの取付け構造は、鋼矢板などの金属製板材で一連に構成された山留壁に壁体を隣接状態で構築するために設置するものであってもよい。
５．本発明による型枠用セパレータの取付け構造は、山留壁に対して一体接合されない壁体を山留壁に隣接状態で構築するために設置するものであってもよい。
【符号の説明】
【００３６】
１  型枠
３  アンカー
４  型枠用セパレータ
８  位置保持部材
９  ガイド管
１０  取付け溝
１２  打ち込みコンクリート
Ａ  山留壁
Ｂ１，Ｂ２，Ｂ３  壁体
Ｌ  上端ライン
【図１】
2015113696.tif 000003
【図２】
2015113696.tif 000004
【図３】
2015113696.tif 000005
【図４】
2015113696.tif 000006
【図５】
2015113696.tif 000007
【図６】
2015113696.tif 000008
【図７】
2015113696.tif 000009